(57)【要約】 【課題】輝度及び輝度均一性をより向上させる面光源装置、これを有する表示装置及びこれを有する液晶表示装置を提供する。【解決手段】面光源装置は本体、電圧印加ユニット、導電体及び可視光線発生部材を含む。前記本体は複数個の発光空間を含む。前記電圧印加ユニットは、前記本体の外側面に配置されて前記各発光空間内で非可視光線を発生させる。前記導電体は前記本体の内側面に前記電圧印加ユニットに対応して配置される。前記可視光線発生部材は前記本体の内側面に配置されて前記非可視光線を可視光線に変更させる。従って、面光源装置の輝度及び輝度均一度が向上され駆動電圧及び消費電力量は減少される。【選択図】    図２
2005142159.tif 000002
【特許請求の範囲】
【請求項１】
複数個の放電領域を含む本体と、
前記本体の外側面に配置されて前記各放電領域内に非可視光線を発生させる電圧印加ユニットと、
前記本体の内側面に前記電圧印加ユニットに対応して配置された導電体と、
前記各放電領域内に配置されて前記非可視光線を可視光線に変更させる可視光線発生部材と、
を含む面光源装置。
【請求項２】
前記放電領域を相互連結する連結部をさらに含むことを特徴とする請求項１記載の面光源装置。
【請求項３】
前記放電領域は、第１方向に延長され、前記第１方向と実質的に直交する第２方向に複数個が並列配列されることを特徴とする請求項１記載の面光源装置。
【請求項４】
前記電圧印加ユニットは、前記各放電領域に対して実質的に垂直に配置された第１電圧印加部分と、前記第１電圧印加部分から平行に離隔された第２電圧印加部分と、を含むことを特徴とする請求項１記載の面光源装置。
【請求項５】
前記導電体は、前記電圧印加ユニットと実質的に同一の形状及び大きさを有することを特徴とする請求項１記載の面光源装置。
【請求項６】
前記可視光線発生ユニットは、前記電圧印加ユニットによって形成された電界を用いて前記各放電領域内で非可視光線を発生させるための作動ガスと、前記本体内に配置されて前記非可視光線を可視光線に変更させる蛍光層と、を含むことを特徴とする請求項１記載の面光源装置。
【請求項７】
前記導電体は、放電電流の量を増加させるホールを含むことを特徴とする請求項１記載の面光源装置。
【請求項８】
前記ホールは、前記各放電領域と対応して配置されることを特徴とする請求項７記載の面光源装置。
【請求項９】
前記導電体は、放電電流の量を増加させる溝を含み、前記溝は前記各放電領域に対応して配置されることを特徴とする請求項１記載の面光源装置。
【請求項１０】
前記導電体は、前記第１電圧印加部分と向き合い前記各放電領域毎に互いに離隔されて配置された第１導電部分と、前記第２電圧印加部分と向き合い前記各放電領域毎に互いに離隔されて配置された第２導電部分と、を含むことを特徴とする請求項４記載の面光源装置。
【請求項１１】
前記各放電領域と対応する前記第１及び第２導電部分はホールを含むことを特徴とする請求項１０記載の面光源装置。
【請求項１２】
前記各放電領域と対応する前記第１及び第２導電部分は、複数のホールを含むことを特徴とする請求項１０記載の面光源装置。
【請求項１３】
前記導電体は、前記第１電圧印加部分と向き合う第１導電部分と、前記第２電圧印加部分と向き合う第２導電部分とを含み、前記第１及び第２導電部分の形状及び大きさは、前記第１及び第２電圧印加部分と同一であることを特徴とする請求項４記載の面光源装置。
【請求項１４】
前記第１及び第２導電部分は、前記各放電領域と対応するホールを含むことを特徴とする請求項１３記載の面光源装置
【請求項１５】
前記第１及び第２導電部分は、前記各放電領域と対応する複数のホールを含むことを特徴とする請求項１３記載の面光源装置。
【請求項１６】
前記本体の内側面に配置された保護膜をさらに含むことを特徴とする請求項１記載の面光源装置。
【請求項１７】
前記本体の内側面に配置されて前記可視光線を反射させる反射層をさらに含むことを特徴とする請求項１記載の面光源装置。  
【請求項１８】
前記本体は、
第１基板と、
前記第１基板と向き合うように配置された第２基板と、
前記第１基板の端部に沿って配置された第１周辺部と、前記第２基板の端部に沿って配置された第２周辺部との間に介在されて前記第１基板と第２基板との間に密封され前記放電領域を具備する放電空間を形成する密封部材と、
前記第１基板と第２基板との間に介在されて前記放電空間を前記放電領域に分割する空間分割部材と、を含むことを特徴とする請求項１記載の面光源装置。  
【請求項１９】
前記第２基板の上部表面に配置されて前記可視光線を反射させる反射層をさらに含むことを特徴とする請求項１８記載の面光源装置。  
【請求項２０】
内部に作動ガスを有する複数の放電領域を含む本体と、
前記本体の外側面に配置されて前記各放電領域内に電界を形成する電圧印加ユニットと、
前記本体の内側面に前記電圧印加ユニットに対応して配置され前記電界に応答して前記放電領域内に電子を供給する導電体と、
前記放電空間内に配置されて前記各放電領域内で前記作動ガス及び前記電子により発生された非可視光線を可視光線に偏光させる蛍光層と、
を含むことを特徴とする面光源装置。
【請求項２１】
前記放電領域を互いに連結する連結部をさらに含むことを特徴とする請求項２０記載の面光源装置。
【請求項２２】
前記導電体は、放電電流の量を増加させるホールを含むことを特徴とする請求項２０記載の面光源装置。  
【請求項２３】
前記導電体は互いに離隔されて配置された複数の導電部分を含むことを特徴とする請求項２０記載の面光源装置。
【請求項２４】
複数個の放電領域を含む本体と、前記本体の外側面に配置され前記各放電領域内に電界を形成して非可視光線を発生させる電圧印加ユニットと、前記本体の内側面に前記電圧印加ユニットに対応して配置された導電体と、前記非可視光線を可視光線に変更させる蛍光層とを含む面光源装置と、
前記面光源装置上に配置されて前記可視光線を映像に変更させる表示パネルと、
前記面光源装置と、前記表示パネルとを収納する収納容器と、
を含むことを特徴とする表示装置。
【請求項２５】
前記導電体は、放電電流の量を増加させるホールを含むことを特徴とする請求項２４記載の表示装置。
【請求項２６】
前記導電体は、互いに離隔されて配置された複数の導電部分を含むことを特徴とする請求項２４記載の表示装置。
【請求項２７】
複数個の放電領域を含む本体と、前記本体の外側面に配置されて前記放電領域内に電界を形成して非可視光線を発生させる電圧印加ユニットと、前記本体の内側面に前記電圧印加ユニットに対応して配置された導電体と、前記放電領域内に配置されて前記非可視光線を可視光線に変更させる蛍光層とを含む面光源装置と、
２つの基板の間に配置された液晶層を有し、前記面光源装置上に配置されて前記面光源装置から発生された可視光線を映像に変更させる液晶表示パネルと、
前記面光源装置と前記液晶表示パネルとを収納する収納容器と、
を含む液晶表示装置。
【請求項２８】
前記本体は、
第１基板と、
前記第１基板と向き合うように配置された第２基板と、
前記第１基板の端部に沿って配置された第１周辺部と前記第２基板の端部に沿って配置された第２周辺部との間に介在されて前記第１基板と第２基板との間に密封された放電空間を形成する密封部材と、
前記第１基板と第２基板との間に介在されて前記放電領域を前記放電領域に分割する空間分割部材と、を含むことを特徴とする請求項２７記載の液晶表示装置。
【請求項２９】
前記面光源装置は、前記第２基板の上部表面に配置されて前記可視光線を反射させる反射層をさらに含むことを特徴とする請求項２８記載の液晶表示装置。
【請求項３０】
前記導電体は、前記各放電領域と対応して配置され放電電流の量を増加させるホールまたは溝を含むことを特徴とする請求項２８記載の面光源装置。
【発明の詳細な説明】
【技術分野】
【０００１】
本発明は面光源装置、これを有する表示装置及び液晶表示装置に関し、より具体的には輝度及び輝度均一性をより向上させる面光源装置、これを有する表示装置及び液晶表示装置に関する。
【背景技術】
【０００２】
一般に、表示装置は、情報処理装置で処理されたデータを映像に変換する。前記表示装置は、冷陰極線管ＣＲＴ、液晶表示装置、プラズマ表示装置、及び有機電界発光表示装置などに区分される。前記液晶表示装置は液晶を用いて映像を表示する。
前記液晶表示装置の液晶は、電気的特性により電界の方向に対応して液晶の配列を変更させる。また、液晶は光学的特性を用いて映像を表示する。また、液晶は光学的特性により液晶の配列に対応して光の透過率を変更させる。
即ち、液晶表示装置は、液晶の電気的特性及び光学的特性を用いて映像を表示する。液晶表示装置は、ＣＲＴなどに比べて体積が非常に小さくて軽いという長所を有し、その結果、携帯用コンピュータ、通信機器、テレビ及び宇宙航空産業などに幅広く使用されている。
液晶を制御するために、従来の液晶表示装置は液晶を制御する液晶制御部及び前記液晶制御部に光を供給する光供給部を含む。
【０００３】
液晶制御部は、第１基板に配置された画素データ、第２基板に配置された共通電極及び画素電極と共通電極との間に介在された液晶を含む。画素電極は解像度に対応して複数個からなり、共通電極は画素電極と対向し一つからなる。各画素電極には互いに異なるレベルを有する画素電圧を印加するために薄膜トランジスタが連結され、共通電極には基準電圧が印加される。前記液晶表示装置の画素電極及び共通電極は、透明で導電性物質、例えば、インジウムすず酸化物ＩＴＯ、インジウム亜鉛酸化物ＩＺＯ、亜鉛酸化物ＺＯなどからなる。
光供給部は液晶制御部の液晶に光を供給する。光は画素電極、液晶及び共通電極を順次に通過し、その結果、液晶制御部は映像を表示する。このとき、映像の表示品質は光供給部の輝度均一性によって大きく影響を受ける。
前記液晶表示装置の光供給部は、冷陰極線管方式ランプＣＣＦＬ、または発光ダイオードが主に使用される。冷陰極線管方式ランプは輝度が高くて寿命が長く、白色光を発生させ、白熱灯に比べて小さい発熱量を有するという長所を有し、発光ダイオードは低消費電力及び高輝度の長所を有する。
【０００４】
しかし、従来の冷陰極線管方式ランプまたは発光ダイオードは共通的に光の輝度均一性が低いという長所を有する。
従って、冷陰極線管方式ランプまたは発光ダイオードによって光を発生させる光供給部は光の輝度均一性を増加させるために導光板、拡散部材及びプリズムシートなどのような光学部材を含む。
これにより冷陰極線管方式ランプまたは発光ダイオードを使用する表示装置は光学部材による体積及び重さが大きく増加されるという問題点を有する。  
【発明の開示】
【発明が解決しようとする課題】
【０００５】
従って、本発明はこのような問題点を勘案したもので、本発明の第１目的は、輝度及び輝度均一性が向上された面光源装置を提供することにある。
また、本発明の第２目的は、前記面光源装置を有する表示装置を提供することにある。
また、本発明の第３目的は、前記面光源装置を有する液晶表示装置を提供することにある。
【課題を解決するための手段】
【０００６】
このような第１目的を具現するための本発明の一実施形態による面光源装置は、本体、電圧印加ユニット、導電体及び可視光線発生部材を含む。前記本体は複数個の発光領域を含む。前記電圧印加ユニットは、前記本体の外側面に配置され前記各発光領域内で非可視光線を発生させる。前記導電体は、前記本体の内側面に前記電圧印加ユニットに対応して配置される。前記可視光線発生部材は、前記本体の内側面に配置されて前記非可視光線を可視光線に変更させる。
また、前記第１目的を具現するための本発明の他の実施形態による面光源装置は、本体、電圧印加ユニット、導電体及び蛍光層を含む。前記本体は内部に作動ガスを有する複数の放電領域を含む。前記電圧印加ユニットは前記本体の外側面に配置されて前記各放電領域内に電界を形成する。前記導電体は、前記本体の内側面に前記電圧印加ユニットに対応して配置され前記電界に応答して前記各放電領域内に電子を供給する。前記蛍光層は、前記放電領域内に配置されて前記各放電領域内で前記作動ガス及び前記電子によって発生された非可視光線を可視光線に変更させる。
【０００７】
前記のような第２目的を達成するための本発明の一実施形態による表示装置は、面光源装置、表示パネル及び収納容器を含む。前記面光源装置は、複数個の放電領域を含む本体と、前記本体の外側面に配置されて前記各放電領域内に電界を形成して非可視光線を発生させる電圧印加ユニットと、前記本体の内側面に前記電圧印加ユニットに対応して配置された導電体と、前記非可視光線を可視光線に変更させる蛍光層と、を含む。液晶表示パネルは、前記面光源装置上に配置されて前記面光源装置から発生された可視光線を映像に変更させる。前記収納容器は前記面光源装置及び表示パネルを収納する。
【０００８】
前記のような第３目的を達成するための本発明の一実施形態による液晶表示装置は、光を発生させる面光源装置と、前記面光源装置上に配置されて前記面光源装置から発生された可視光線を映像に変更させる液晶表示パネルと、前記面光源装置と前記液晶表示パネルとを収納する収納容器と、を含む。前記面光源装置は、複数個の放電領域を含む本体と、前記本体の外側面に配置されて前記放電領域内に電界を形成して非可視光線を発生させる電圧印加ユニットと、前記本体の内側面に前記電圧印加ユニットに対応して配置された導電体と、前記放電領域内に配置されて前記非可視光線を前記可視光線に変更させる蛍光層と、を含む。
本発明によると面光源装置の内部及び外部に電極を形成して面光源装置の輝度及び輝度均一性をより向上させ、駆動電圧を低くしこれにより消費電力量も減少させる。
【発明の効果】
【０００９】
電極が面光源装置の外部及び内部に配置されて面光源装置から発生した可視光線の輝度及び輝度均一性を向上させる。また、面光源装置で可視光線を発生するに必要な始動及び駆動電圧が減少され、面光源装置の消費電力が減少される。さらに、面光源装置に形成された複数個の発光領域内にプラズマが均一に配置されて面光源装置の輝度が均一になる。従って、表示装置の映像表示品質が向上される。
【発明を実施するための最良の形態】
【００１０】
以下、図面を参照して本発明の望ましい一実施形態をより詳細に説明する。
（面光源装置）
（実施形態）
図１は本発明の第１実施形態による面光源装置の部分切開斜視図である。
図２は図１のＩ−Ｉ’線に沿って切断した断面図である。図３は図１の面光源装置を示す平面図である。
図１及び図３に示すように、面光源装置１００は本体１１０、電圧印加ユニット１２０、導電体１３０及び可視光線発生部材１４０を含む。
本実施形態で本体１１０は平らな六面体形状を有する。本体１１０の内部には少なくとも一つの空間分割部１１２を有する。空間分割部１１２は本体１１０の内部で第１方向に延長される。
【００１１】
従って、本体１１０の内部には放電空間が配置される。前記空間分割部１１２は前記放電空間を少なくとも２つの放電領域１１０ａに分割する。各放電領域１１０ａは空間分割部１１２と同一に第１方向に延長され、各放電領域１１０ａは第１方向と実質的に直交する第２方向に少なくとも２つが並んで配列される。前記放電領域１１０ａは連結部１１０ｂにより相互連結される。
以下、放電領域１１０ａを具備する放電空間を有する本体１１０は外側に配置された第１面１１３及び本体１１０の内側面に配置された第２面１１４を含む。
本体１１０はガラス、トリアセチルセルロースＴＡＣ、ポリカーボネートＰＣ、ポリエーテルサルホンＰＥＳ、ポリエチレン・テレフタレートＰＥＳ、ポリエチレン・ナフタレートＰＥＮ、ポリビニール・アルコールＰＶＡ、ポリメチル・メタクリレーＰＭＭＡ、シクロオレフィンポリマーＣＯＰなどの透明な固体を含む。望ましくは、前記本体１１０は所定誘電率を有するガラスを含む。  
【００１２】
電圧印加ユニット１２０は本体１１０の第１面１１３上に配置される。電圧印加ユニット１２０によって形成された電界によって各放電領域１１０ａ内の電子が移動する。電圧印加ユニット１２０は各放電領域１１０ａの第１端部１１０ｂに第１レベルの第１電圧を印加し、第１端部１１０ｂと向き合う第２端部１１０ｃに第２レベルの第２電圧を印加する。従って、前記電圧印加ユニット１２０によって前記各放電領域１１０ａ内に第１電圧及び第２電圧に対応する電圧差による放電が発生され放電電流が流れる。
本実施形態で、電圧印加ユニット１２０は第１電圧印加部分１２１及び第２電圧印加部分１２２を含む。第１電圧印加部分１２１は各放電領域１１０ａが形成された第１方向に対して実質的に直交する第２方向に配置される。第２電圧印加部分１２２は第１電圧印加部分１２１から離隔された所に第１電圧印加部分１２１に対して平行に配置される。
【００１３】
図２及び図３に示すように、導電体１３０は本体１１０の第２面１１４上に配置される。望ましくは、導電体１３０は電圧印加ユニット１２０と向かい合うように配置される。従って、本実施形態で導電体１３０は第１導電部分１３１及び第２導電部分１３２で構成される。
第１導電部分１３１は第１電圧印加部分１２１と向かい合うように配置される。本実施形態において、第１導電部分１３１は第１電圧印加部分１２１に対して実質的に同一の形状及び大きさを有する。第１導電部分１３１は金属、インジウムすず酸化物ＩＴＯ、インジウム亜鉛酸化物ＩＺＯ、亜鉛酸化物ＺＯなどを含む。
第２導電部分１３２は第２電圧印加部分１２２と向き合うように配置される。本実施形態において、第２導電部分１３２は第２電圧印加部分１２２に対して実質的に同一の形状及び大きさを有する。第２導電部分１３２は金属、インジウムすず酸化物、インジウム亜鉛酸化物、亜鉛酸化物などを含む。
【００１４】
図２に示すように、可視光線発生部材１４０は作動ガス（図示せず）、保護層１１７’、反射層１１８’及び蛍光層１４２を含む。
作動ガスは電圧印加ユニット１２０及び導電体１３０によって放電が発生する本体１１０の放電領域内で非可視光線、例えば、紫外線を発生させる。作動ガスは水銀Ｈｇ、アルゴンＡｒ、ネオンＮｅ、クセノンＸｅ、クリプトンＫなどを含む。
前記保護層１１７’は前記本体１１０の第２面１１４のうち、有効発光領域内の前記本体１１０と前記蛍光層１４２の第１蛍光部分１４２ａとの間に配置されて前記本体１１０を保護する。前記有効発光領域は前記第１導電部分１３１と前記第２部分１３２との間に配置される。前記保護層１１７’は透明な物質を含む。このとき、補助保護層（図示せず）が前記本体１１０の第２面１１４と前記反射層１１８’との間に配置されることもあり得る。また、前記保護層１１７’が省略されることもできる。
【００１５】
前記反射層１１８’は前記本体１１０の第２面のうち、前記保護層１１７’に対応して配置され前記蛍光層１４２の第２蛍光部分１４２ｂを通過した光が反射される。前記反射層１１８’は反射率が高い金属を含む。このとき、前記本体１１０の側面上に補助反射層（図示せず）が配置されることもできる。
蛍光層１４２は前記保護層１１７’上に配置された第１蛍光部分１４２ａ及び前記反射層１１８’上に配置された第２蛍光部分１４２ｂを含む。各放電領域１１０ａ内から発生した非可視光線が前記蛍光層を通過する場合可視光線が生成される。蛍光層１４２はレッド光に対応されるレッド蛍光物質、グリーン光に対応されるグリーン蛍光物質、及びブルー光に対応されるブルー蛍光物質を含む。このとき、前記レッド蛍光物質、グリーン蛍光物質及びブルー蛍光物質を混合して同一の光量を有するレッド光、グリーン光及びブルー光が生成される。図１乃至図３に示すように、電圧印加ユニット１２０の第１電圧印加部分１２１に第１レベルの第１電圧及び第２電圧印加部分１２２に第２レベルの第２電圧が印加される。
【００１６】
これにより、第１電圧印加部分１２１及び第１導電部分１３１との間に介在された本体１１０の第１部分１１５には電荷が貯蔵されて第１電圧のレベルは第３レベルに降下される。一方、第２電圧印加部分１２２と第２導電部分１３２との間に介在された本体１１０の第２部分１１６にも電荷が貯蔵されて第２電圧のレベルは第４レベルに降下される。
このとき、第３レベルの第１電圧は第１導電部分１３１に印加され、第４レベルの第２電圧は第２導電部分１３２に印加される。
第３レベルを有する第１電圧及び第４レベルを有する第２電圧によって各放電領域１１０ａ内で放電が発生され、放電によって作動ガスの一部または全部はプラズマ状態になる。
このとき、本体１１０の内部に配置された第１導電部分１３１及び第２導電部分１３２は二次電子を放出してプラズマ密度を向上させる。
【００１７】
一方、本体１１０の放電領域１１０ａ内で放電が発生され、二次電子と水銀とが結合して放電領域１１０ａ内から非可視光線が発生される。
放電領域１１０ａ内から発生された非可視光線は蛍光層１４２を通過して可視光線を生成する。
保護層１１７’は前記第１蛍光部分１４２ａと前記本体１１０との間に配置されて前記本体１１０を保護する。前記反射層１１８’は前記保護層１１７’に対応して前記第２蛍光部分１４２ｂと前記本体１１０との間に配置されて前記可視光線を反射させる。
本実施形態によると、放電領域１１０ａ内にプラズマを発生させる電圧印加部材１２０が前記本体１１０の外部に配置され、プラズマの密度をより向上させる導電体が前記本体１１０の内部に配置されて面光源装置１００によって発生した光の輝度及び輝度均一性を大きく向上させる長所を有する。
【００１８】
（実施形態２）
図４は本発明の第２実施形態による面光源装置の断面図である。図５は図４の面光源装置を示す平面図である。本発明の第２実施形態による面光源装置は実施形態１の導電体を除いては実施形態１の面光源装置と同一である。従って、同一の部材については実施形態１と同一の参照符号を付与し、その重複された説明は省略する。
図４及び図５に示すように、導電体１３０は第１導電部分１３３及び第２導電部分１３４を含む。
第１導電部分１３３及び第２導電部分１３４は四角プレート形状を有する。前記面光源装置は複数個の前記第１導電部分１３３及び複数個の前記第２導電部分１３４を含む。前記第１導電部分１３３は第１電圧印加部分１２１に対応して前記本体１１０の第２面１１４上に配置される。前記第１導電部分１３３は第２方向に沿って複数個が所定間隔で離隔されて配置される。前記第２導電部分１３４は第２方向に沿って複数個が所定間隔に離隔されて配置される。前記第２導電部分１３４は第２電圧印加部分１２２に対応して前記本体１１０の第２面１１４上に配置される。
【００１９】
第１導電部分１３３は第１導電本体１３３ａ及び第１ホール１３３ｂを有する。第１ホール１３３ｂは各放電領域１１０ａの位置に対応して形成される。
第２導電部分１３４は第２導電本体１３４ａ及び第２ホール１３４ｂを有する。第２ホール１３４ｂは各放電領域１１０ａの位置に対応して形成される。このとき、前記各第１導電部分１３３及び前記各第２導電部分１３４が第１溝（ｒｅｃｅｓｓ、図示せず）及び第２溝（図示せず）をそれぞれ含むこともできる。
電圧印加ユニット１２０の第１電圧印加部分１２１には第１レベルの第１電圧が印加され、第２電圧印加部分１２２には第２レベルの第２電圧が印加される。
これにより、第１電圧印加部分１２１と第１導電部分１３３との間に介在された本体１１０の第１部分１１５には電荷が貯蔵されて第１電圧のレベルは第３レベルに降下される。一方、第２電圧印加部分１２２と第２導電１３４との間に介在された本体１１０の第２部分１１６にも電荷が貯蔵され、第２電圧のレベルは第４レベルに降下される。
【００２０】
第３レベルの第１電圧は第１導電部分１３３に印加され、第４レベルの第２電圧は第２導電部分１３４に印加される。
このとき、第１導電部分１３３に形成された第１ホール１３３ａの内部では‘中空陰極効果’（ｈｏｌｌｏｗ  ｃａｔｈｏｄｅ  ｅｆｆｅｃｔ）によって電子の供給がより活発に行われる。
第３レベルの第１電圧及び第４レベルの第２電圧によって放電領域１１０ａ内では放電電流の量が増加し、放電によって作動ガスの一部または全部はプラズマ状態になる。
このとき、第１ホール１３３ｂを有する第１導電部分１３３及び第２ホール１３４ｂを有する第２導電部分１３４は二次電子を放出してプラズマを生成する。従って、第１ホール１３３ｂを有する第１導電部分１３３及び第２ホール１３４ｂを有する第２導電部分１３４を本体１１０の内部に配置して本体１１０の内での放電電流の量が増加してプラズマ密度が増加する。
本体１１０の放電領域１１０aで放電が発生され、二次電子と作動ガス内の水銀とが結合して放電領域１１０ａ内では非可視光線が発生される。
放電領域１１０ａから発生した非可視光線は蛍光層１４２を通過して可視光線を生成する。
【００２１】
図６は本発明の他の実施形態による面光源装置を示す平面図である。
図６に示すように、各第１導電部分１３３には少なくとも２つの第３ホール１３３ｃが配置され、第２導電部分１３４のうち各放電領域１１０ａに対応する部分には少なくとも２つの第４ホール１３４ｃが配置される。
本実施形態によると、本体１１０の内部から発生したプラズマの密度が増加され点灯初期に必要な始動電圧が減少される。また、消費電力も減少される。従って、面光源装置１００の放電安定性及び面光源装置１００から発生した光の輝度及び輝度均一性をより向上させることができる。
【００２２】
（実施形態３）
図７は本発明の第３実施形態による導電体を示す平面図である。本発明の第３実施形態による面光源装置は実施形態１の導電体を除いては実施形態１の面光源装置と同一である。従って、同一の部材については実施形態１と同一の参照符号を付与し、その重複された説明は省略する。
図７に示すように、導電体１３０は第１導電部分１３５及び第２導電部分１３６を含む。
第１導電部分１３５及び第２導電部分１３６は四角プレート形状を有する。前記第１導電部分１３５及び前記第２導電部分１３６は第２方向に延長される。前記第１導電部分及び前記第２導電部分１３６は互いに離隔されて平行に配置される。前記第１導電部分及び前記第２導電部分１３６はそれぞれ第１電圧印加部分１２１及び第２電圧印加部分１２２に対応して配置される。
【００２３】
前記第１導電部分１３５は第１導電本体１３５ａ及び第１ホール１３５ｂで構成される。このとき、前記第１導電部分１３５が複数個の第１ホール１３５ｂを含むこともできる。それぞれの前記第１ホール１３５ｂは各放電領域１１０ａの位置に対応して配置され、各第１ホール１３５ｂの直径Ｄは互いに同一である。このとき、第１ホール１３５ｂの直径Ｄはプラズマの密度によって変更されることもできる。
前記第２導電部分１３６は第２導電本体１３６ａ及び第２ホール１３６ｂで構成される。このとき、前記第２導電部分１３６が複数個の第２ホール１３６ｂを含むこともできる。それぞれの前記第２ホール１３６ｂは各放電領域１１０ａの位置に対応して配置され、第２ホール１３６ｂの直径Ｄは互いに同一である。このとき、各第２ホール１３６ｂの直径Ｄはプラズマの密度によって変更されることができる。
【００２４】
電圧印加ユニット１２０の第１電圧印加部分１２１には第１レベルの第１電圧が印加され、第２電圧印加部分１２２には第２レベルの第２電圧が印加される。
これにより、第１電圧印加部分１２１と第１導電部分１３５との間に介在された本体１１０の第１部分１１５には電荷が貯蔵されて第１電圧のレベルは第３レベルに強化される。一方、第２電圧印加部分１２２と各第２導電部分１３６との間に介在された本体１１０の第２部分１１６にも電荷が貯蔵されて第２電圧のレベルは第４レベルに降下される。
第３レベルの第１電圧は各放電領域１１０に対応して配置された第１導電部分１３５に印加され、第４レベルの第２電圧は各放電領域に対応して配置された第２導電部分１３６に印加される。
このとき、第１導電部分１３５に形成された第１ホール１３５ｂの内部では‘中空陰極効果’によって供給された電子の量が増加する。
第３レベルを有する第１電圧及び第４レベルを有する第２電圧によって各放電領域１１０で放電が発生され、放電によって作動ガスの一部または全部はプラズマ状態になる。
【００２５】
このとき、第１ホール１３５ｂを有する第１導電部分１３５及び第２ホール１３６ｂを有する第２導電部分１３６は二次電子を放出してプラズマを生産する。従って、第１ホール１３５ｂを有する第１導電部分１３５及び第２ホール１３６ｂを有する第２導電部分１３６を本体１１０の内部に配置して本体１１０の内部でのプラズマ密度が増加される。
本体１１０の放電領域１１０ａで放電が発生され二次電子と水銀とが結合して放電領域１１０ａでは非可視光線が発生される。
放電領域１１０ａから発生した非可視光線は蛍光層１４２を通過して可視光線を生成する。
図８は本発明の他の実施形態による面光源装置を示す平面図である。
図８に示すように、各放電領域１１０ａに対応される第１導電部分１３５には少なくとも２つの第３ホール１３５ｃが配置され、前記各放電領域１１０ａに対応される第２導電部分１３６には少なくとも２つの第４ホール１３６ｃが配置される。
本実施形態によると、本体１１０の内部から発生されたプラズマ密度が増加されて点灯初期に必要な始動電圧が減少される。また、消費電力も減少される。従って、面光源装置１００の放電安定性及び面光源装置１００から発生された光の輝度と輝度均一性をより向上させることができる。
【００２６】
（実施形態４）
図９は本発明の第４実施形態による面光源装置の分解斜視図であり、図１０は図９の面光源装置の断面図である。本発明の第４実施形態による面光源装置は実施形態１の本体を除いては実施形態１の面光源装置と同一である。従って、同一の部材については実施形態１と同一の参照番号を示し、その重複された説明は省略する。
図９及び図１０に示すように、面光源装置１００は第１基板１１７、第２基板１１８、密封部材１１９、空間分割部材１１８ｃ、蛍光層１４２及び反射層１１８’を含む。
本体１１０’の内部には放電空間が形成される。本実施形態で、本体１１０’の空間は第１基板１１７、第２基板１１８及び密封部材１１９によって形成される。
望ましくは、第１基板１１７は可視光線を透過させ、紫外線は吸収する材質を有する。第１基板１１７は第１中心領域１１７ａと第１周辺領域１１７ｂとで分けられる。第１周辺領域１１７ｂは第１中心領域１１７ａを取り囲む。  
【００２７】
第２基板１１８は第１基板１１７に対応して配置される。望ましくは、第２基板１１８は第１基板１１７と同様に可視光線は透過させ、紫外線は吸収する材質を有する。第２基板１１８は第２中心領域１１８ａと第２周辺領域１１８ｂとで分けられ、第２周辺領域１１８ｂは第２中心領域１１８ａを取り囲む。
第２中心領域１１８ａは第１中心領域１１７ａと向き合い、第２周辺領域１１８ｂは第１周辺領域１１７ｂと向き合う。
【００２８】
密封部材１１９は第１基板１１７の第１周辺領域１１７ｂと第２基板１１８の第２周辺領域１１８ｂとの間に配置される。密封部材１１９は第１周辺領域１１７ｂ及び第２周辺領域１１８ｂと同一の形状及び大きさを有する四角プレート形状を有する。
密封部材１１９は第１基板１１７の第１周辺領域１１７ｂと第２基板１１８の第２周辺領域１１８ｂとが互いに向き合うように前記第１基板１１７と前記第２基板１１８とを結合する。密封部材１１９は第１基板及び第２基板１１８の変形を防止するために第１基板１１７及び第２基板１１８と同一の熱膨張係数を有する。
本体１１０’内に空間分割部材１１８ｃを配置して本体１１０’内の空間を複数の発光空間１１０ａに分割して消費電力を減少させる。
空間分割部材１１８ｃは第１基板１１７と第２基板１１８との間に介在され、空間分割部材１１８ｃは第１中心領域１１７ａと第２中心領域１１８ａとの間に介在される。空間分割部材１１８ｃは第１方向に延長され、第１方向と実質的に直交する第２方向に沿って複数個が配列される。空間分割部材１１８ｃは第２方向に延長された六面体形状を有し、透明の合成樹脂またはガラスを含む。このとき、前記空間分割部材１１８ｃが不透明な合成樹脂を含むことができる。
前記放電領域１１０ａは前記空間分割部材１１８ｃ内の連結部を通して互いに連結される。
空間分割部材１１８ｃによって本体１１０’の前記放電空間は複数個の放電領域１１０ａで分割される。
【００２９】
前記反射層１１８’は前記第２基板１１７の上部表面に配置されて前記蛍光層１４２の第２蛍光部分１４２ｂを通過した光が反射される。前記反射層１１８’は反射率が高い金属を含む。
蛍光層１４２は前記反射層１１８’上に配置された第２蛍光部分１４２ｂと、前記第１基板１１７上に前記第１蛍光部分１４２ｂに対応して配置された第１蛍光部分１４２ａと、を含む。放電領域１１０ａから発生した非可視光線が前記蛍光層を通過する場合可視光線が生成される。蛍光層１４２は、レッド光に対応されるレッド蛍光物質、グリーン光に対応されるグリーン蛍光物質、及びブルー光に対応されるブルー蛍光物質を含む。このとき、前記レッド蛍光物質、グリーン蛍光物質及びブルー蛍光物質を混合して同一の光量を有するレッド光、グリーン光及びブルー光が生成される。
このように空間分割部材１１８ｃで本体１１０’の放電空間を複数個の放電領域１１０ａに分割することで面光源装置１００の駆動電源のレベル及び消費電力量をより低くすることができる。
【００３０】
（表示装置）
（実施形態５）
図１１は本発明の第５実施形態による表示装置の部分切開分解斜視図である。本実施形態による表示装置の面光源装置は前述した実施形態１乃至実施形態４に説明された構成と同一である。従って、本実施形態による表示装置のうち面光源装置については同一の参照番号を示し、その重複された説明は省略する。
図１１に示すように、液晶表示装置９００は収納容器６００、面光源装置１００、液晶表示パネル７００及びシャーシ８００を含む。
収納容器６００は底面６１０、底面６１０のエッジ部から突出されて収納空間を形成する複数個の側壁６２０、放電電圧印加モジュール６３０及びインバーター６４０を含む。収納容器６００は面光源装置１００及び液晶表示パネル７００が左右に動けないように固定させる。
面光源装置１００は底面６１０上に配置される。前記底面６１０は面光源装置１００と同一の形状を有する。本実施形態で、底面６１０は面光源装置１００と同一に六面体プレート形状を有する。
【００３１】
側壁６２０は面光源装置１００が外部に離脱されないように固定する。放電電圧印加モジュール６３０は、面光源装置１００の電圧印加ユニット１３０に放電電圧を印加する。
放電電圧印加モジュール６３０は第１放電電圧印加部分６３２及び第２放電電圧印加部分６３４を含む。第１放電電圧印加部分６３２は第１クリップ本体６３２ａ及び第１クリップ本体６３２ａに形成された第１導電性クリップ６３２ｂで構成される。第２放電電圧印加部分６３４は第２クリップ本体６３４ａと、第２クリップ本体６３４ａに形成された第２導電性クリップ６３４ｂと、で構成される。
面光源装置１００に形成された電圧印加ユニット１３０は第１導電性クリップ６３２ｂ及び第２導電性クリップ６３４ｂにグリップされて固定される。
インバーター６４０は第１放電電圧印加部分６３２及び第２放電電圧印加部分６３４に放電電圧を印加する。インバーター６４０及び第１放電電圧印加部分６３２は第１電源印加線６４２によって連結され、インバーター６４０及び第２放電電圧印加部分６３４は第２電源印加線６４４によって連結される。
液晶表示パネル７００は面光源装置１００から発生された光を情報が含まれたイメージ光に変換する。これを具現するために液晶表示パネル７００はＴＦＴ基板７１０、液晶７２０、カラーフィルター基板７３０及び駆動モジュール７４０を含む。
ＴＦＴ基板７１０はマトリックス形態に配置された画素電極、各画素電極に駆動電圧を印加する薄膜トランジスタ、ゲートライン及びデータラインを含む。このとき、前記ＴＦＴ基板７１０が複数の画素電極、複数の薄膜トランジスタ、複数のゲートライン及び複数のデータラインを含むこともできる。
【００３２】
カラーフィルター基板７３０はＴＦＴ基板７１０に形成された画素電極と向き合うように配置されたカラーフィルター、カラーフィルターの上面に形成された共通電極を含む。このとき、前記カラーフィルター基板７３０が複数のカラーフィルターを含むこともできる。
液晶７２０はＴＦＴ基板７１０とカラーフィルター基板７３０との間に配置される。
一方、シャーシ８００は液晶表示パネル７００のカラーフィルター基板７３０のエッジ部を取り囲む。シャーシ８００の一部は収納容器６００にフック結合される。シャーシ６００は外部衝撃から脆性が弱い液晶表示パネル７００を保護し、液晶表示パネル７００が収納容器６００から離脱されることを防止する。
光拡散部材５５０は面光源装置１００と液晶表示パネル７００との間に配置されて面光源装置１００から出射された光の特性を向上させる。このとき、前記光拡散部材５５０上に光学シート類（図示せず）が配置されることもできる。前記光学シート類（図示せず
）はプリズムシート、拡散シートなどを含むことができる。また、前記光学シート類（図示せず）は位相差フィルム、偏光フィルム、反射偏光フィルムなどをさらに含むことができる。また、前記光学部材５５０と前記面光源装置１００との間にモールドフレーム（図示せず）を配置して前記光拡散部材５５０が前記面光源装置１００と所定間隔離隔されるようにして、輝度均一性を向上させることもできる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３３】
【図１】本発明の第１実施形態による面光源装置の部分切開斜視図である。
【図２】図１のＩ−Ｉ’線に沿って切断した断面図である。
【図３】図１の面光源装置の平面図である。
【図４】本発明の第２実施形態による面光源装置の断面図である。
【図５】図４の面光源装置の平面図である。
【図６】本発明の他の実施形態による面光源装置を示す平面図である。
【図７】本発明の第３実施形態による面光源装置を示す平面図である。
【図８】本発明の他の実施形態による面光源装置を示す平面図である。
【図９】本発明の第４実施形態による面光源装置の分解斜視図である。
【図１０】図９の面光源装置の断面図である。
【図１１】本発明の第５実施形態による表示装置の部分切開分解斜視図である。
【符号の説明】
【００３４】
１００      面光源装置
１１０      本体
１１０ａ      放電領域
１１０ｂ      第１端部
１１０ｃ      第２端部  
１１２      空間分割部材
１１３      第１面
１１４      第２面
１１７      第１基板
１１７’      保護層
１１７ａ      第１中心領域
１１７ｂ      第１周辺領域
１１８      第２基板
１１８’      反射層
１１８ａ      第２中心領域
１１８ｂ      第２周辺領域
１１９      密封部材
１２０      電圧印加ユニット
１２１      第１電圧印加部分
１２２      第２電圧印加部分
１３０      導電体
１３１、１３３、１３５      第１導電部分
１３３ａ、１３５ａ      第１導電本体
１３３ｂ、１３５ｂ      第１ホール
１３２、１３４、１３６      第２導電部分
１３４ａ      第２導電本体
１３４ｂ、１３６ｂ      第２ホール
１３６ｃ      第４ホール
１４０      可視光線発生部材
１４２      蛍光層
６００      収納容器
７００      液晶表示パネル
８００      シャーシ
９００      液晶表示装置
【図１】
2005142159.tif 000003
【図２】
2005142159.tif 000004
【図３】
2005142159.tif 000005
【図４】
2005142159.tif 000006
【図５】
2005142159.tif 000007
【図６】
2005142159.tif 000008
【図７】
2005142159.tif 000009
【図８】
2005142159.tif 000010
【図９】
2005142159.tif 000011
【図１０】
2005142159.tif 000012
【図１１】
2005142159.tif 000013